(57)【要約】【課題】快適とされる緑地エリアに、訪問者の誘致を図ることを目的とする。【解決手段】本発明の一態様に係る情報提供方法は、コンピュータにより実行される情報提供方法であって、コンピュータが、緑地エリアの気象に関するデータに基づいて、緑地エリアのうち、所定の快適基準を満たす緑地エリアを特定し、特定した緑地エリアを通知する。【選択図】図１７
2015094971.tif 000002
【特許請求の範囲】
【請求項１】
コンピュータにより実行される情報提供方法であって、
前記コンピュータが、
緑地エリアの気象に関するデータに基づいて、前記緑地エリアのうち、所定の快適基準を満たす緑地エリアを特定し、
特定した前記緑地エリアを通知すること、
を特徴とする情報提供方法。
【請求項２】
前記緑地エリアの気象に関するデータは、日照データを含み、
前記日照データは、少なくとも、日照センサデータ、緑地エリアの天候、緑地エリアの位置、緑地エリアの地形、緑地エリア内の建造物の有無、建造物の高さ、建造物の位置、又は日時刻のいずれかに基づいて算出されること、
を特徴とする請求項１記載の情報提供方法。
【請求項３】
特定した前記緑地エリアを、前記緑地エリアを含む所定エリア内に位置する端末に通知すること、
を特徴とする請求項１又は２記載の情報提供方法。
【請求項４】
緑地エリアの気象に関するデータに基づいて、前記緑地エリアのうち、所定の快適基準を満たす緑地エリアを特定する特定部と、
特定した前記緑地エリアを通知する通知部と、
を有することを特徴とする情報提供装置。
【請求項５】
緑地エリアの気象に関するデータに基づいて、前記緑地エリアのうち、所定の快適基準を満たす緑地エリアを特定し、
特定した前記緑地エリアを通知させる処理をコンピュータに実行させる情報提供プログラム。
【発明の詳細な説明】
【技術分野】
【０００１】
本発明は、情報提供方法、情報提供装置、及び情報提供プログラムに関する。
【背景技術】
【０００２】
近年、特に都市部では、都市開発の一環として、緑地再開発による地域活性化が推進されている。緑地空間は、例えば、人々に安らぎを与えるレクレーション効果のほか、景観効果、環境保全効果、防災効果などもあり、人々の快適な憩いの場としての活用が期待される。
【０００３】
ここで、例えば、アナウンス不足などの理由等により人々にあまり認知されていない緑地が少なからず存在し、その対策として、より多くの人々を緑地へ誘致するための好適な仕組みが要望されている（例えば、特許文献１参照）。
【先行技術文献】
【特許文献】
【０００４】
【特許文献１】特開２００２−２０２７１８号公報
【発明の概要】
【発明が解決しようとする課題】
【０００５】
しかしながら、上記特許文献１記載の発明は、景色（景観）に基づいて、景色のよい景色案内を行うものである。
【０００６】
一方、緑地は、周辺環境（例えば、都市部の高層ビル街）と比べて、一般に夏場は冷涼・冬場は温暖な環境であるため、緑地への訪問者は、各々の季節を快適に過ごすことができる。即ち、緑地は、人々が各々の季節を快適に過ごすための快適空間としての活用という側面があり、このような観点から、多くの人々を緑地へ誘致するための仕組みもまた有効である。
【０００７】
本発明は、１つの側面において、快適とされる緑地エリアに、訪問者の誘致を図ることを目的とする。
【課題を解決するための手段】
【０００８】
本実施例の一態様によれば、コンピュータにより実行される情報提供方法であって、前記コンピュータが、緑地エリアの気象に関するデータに基づいて、前記緑地エリアのうち、所定の快適基準を満たす緑地エリアを特定し、特定した前記緑地エリアを通知する情報提供方法が提供される。
【０００９】
また、上記課題を解決するための手段として、情報提供装置、情報提供プログラムとすることもできる。
【発明の効果】
【００１０】
本実施例の一態様によれば、快適とされる緑地エリアに、訪問者の誘致を図ることができる。
【図面の簡単な説明】
【００１１】
【図１】快適地情報提供システムのネットワーク構成例を示す図である。
【図２】快適地情報提供サーバ１のハードウェア構成例を示す図である。
【図３】快適地情報提供サーバ１の機能構成例を示す図である。
【図４】ユーザＤＢ１０４ａのデータ構成例を示す図である。
【図５】広域気象データ１０４ｂのデータ構成例を示す図である。
【図６】位置データ１０４ｃのデータ構成例を示す図である。
【図７】地点測定データ１０４ｄのデータ構成例を示す図である。
【図８】地点日照データ１０４ｅのデータ構成例を示す図である。
【図９】快適環境の特定処理の一例を示すフローチャートである。
【図１０】Ｓ１００の広域状況判定処理の一例を示すフローチャートである。
【図１１】広域状況の判定結果の一例を示す図である。
【図１２】Ｓ３００の快適緑地特定処理の一例を示すフローチャートである。
【図１３】対象緑地の判定結果（現在）の一例を示す図である。
【図１４】Ｓ４００の快適緑地推移予測処理の一例を示すフローチャートである。
【図１５】対象緑地の判定結果（現在及び将来）の一例を示す図である。
【図１６】快適環境の情報提供処理の一例を示すフローチャートである。
【図１７】情報提供の一例を示す図である。
【発明を実施するための形態】
【００１２】
以下、本発明の実施例について詳細に説明する。
【００１３】
＜システム構成例＞
図１は、本実施例における快適地情報提供システムのネットワーク構成例を示す図である。図１に示す快適地情報提供システムは、快適地情報提供サーバ１、気象システム２、計測機器３、ユーザ端末４がネットワーク５を介して接続される。
【００１４】
まず図１に示されるＡ、Ｂ、Ｃ地点は、システム管理者（運営者）として、ユーザを誘致したい地点・エリアを示す。例えば、Ａ、Ｂ、Ｃ地点は、それぞれがＸエリア（Ｘエリア）内に広がる緑地である。本実施例においては、快適地情報提供システムを活用することで、ユーザ端末４を有するユーザに対し、緑地への誘致を図る。
【００１５】
快適地情報提供サーバ１は、ユーザのユーザ端末４に対し、快適地情報を提供するサーバである。具体的に、快適地情報提供サーバ１は、ユーザのユーザ端末４が現在位置するエリア環境よりも快適環境とされる緑地の情報を提供することで、ユーザ端末４を有するユーザに対し、その緑地への誘致を図る。
【００１６】
気象システム２は、例えば、気象庁／気象台により運営され、一定広域の広域気象データを、快適地情報提供サーバ１に配信するサーバである。また、広域気象データは、一定の広域において現在観測されている「現在広域気象データ」のみならず、将来予測される「予測広域気象データ」を含む。このため、本実施例における気象システム２は、例えば１５分毎に、現在観測されている現在広域気象データと、将来の予測広域気象データとの情報を更新しており、更新した情報を更新する毎に快適地情報提供サーバ１に配信する。
【００１７】
なお、一定の広域とは、気象システム２が、気象観測及び気象予測を可能とする単位範囲（例えば、地図上の１０ｋｍ格子範囲）である。また、現在広域気象データとは、一定の広域内における複数の観測所で、実際に計測・観測された最新の地点計測データに基づいて算出された広域全体を代表する気象データである（例えば、全地点計測データの平均値）。また、予測広域気象データとは、実際に計測・観測された過去及び現在の広域気象データに基づいて気象システム２が予測（予報）した将来予測される広域気象データである。なお、本実施例における予測広域気象データは、現在時刻を起点として将来にわたって、例えば、１５分毎刻みで予測（予報）される。
【００１８】
計測機器３は、例えば、気温（温度）・湿度センサ、風向・風速センサであり、各地点の気温、湿度、風向、風速などの「地点測定データ」を計測・観測する機器である。このため、計測機器３は、Ａ地点、Ｂ地点、Ｃ地点などの緑地毎に設置される。また、計測機器３は、一定時間毎（例えば、１５分毎）に、各緑地の地点計測データを計測し、計測した地点測定データを、快適地情報提供サーバ１に送信する。
【００１９】
ユーザ端末４は、例えば、携帯電話、スマートフォン、タブレット端末、ＰＣ（Personal Computer）等々、ユーザの有するコンピュータ端末である。ユーザ端末４は、快適地情報提供サーバ１に対し自端末の位置情報を送信することで、現在エリアのエリア環境よりも快適環境とされる緑地の情報を受信する。
【００２０】
ネットワーク５は、快適地情報提供サーバ１、気象システム２、計測機器３、ユーザ端末４を通信可能に接続するための通信ネットワークである。例えば、インターネット回線、専用回線、電話回線など、様々な有線又は無線の通信ネットワークを含みうる。
【００２１】
図２は、本実施例における快適地情報提供サーバ１のハードウェア構成例を示す図である。快適地情報提供サーバ１は、主要な構成として、ＣＰＵ（Central Processing Unit）１１、ＲＯＭ（Read Only Memory）１２、ＲＡＭ（Random Access Memory）１３、ＨＤＤ（Hard Disk Drive）１４、インターフェース１５、入力装置１６、表示装置１７、及び通信装置１８を有する。
【００２２】
ＣＰＵ１１は、マイクロプロセッサ及びその周辺回路から構成され、装置全体を制御する回路である。また、ＲＯＭ１２は、ＣＰＵ１１で実行される所定の制御プログラムを格納するメモリである。また、ＲＡＭ１３は、ＣＰＵ１１がＲＯＭ１２に格納された所定の制御プログラムを実行して各種の制御を行うときの作業領域として使用するメモリである。
【００２３】
ＨＤＤ１４は、汎用のＯＳ（Operating System）、各種プログラムを含む各種情報を格納する装置であり、不揮発性の記憶装置である。
【００２４】
インターフェース１５は、センサ等の外部機器と接続するためのインターフェースである。
【００２５】
入力装置１６は、ユーザが各種入力操作を行うための装置である。入力装置１６は、マウス、キーボード、表示装置１７の表示画面上に重畳するように設けられたタッチパネルスイッチなどを含む。
【００２６】
表示装置１７は、各種データを表示画面に表示する装置である。例えば、ＬＣＤ(Liquid Crystal Display)、ＣＲＴ(Cathode Ray Tube)などから構成される。
【００２７】
通信装置１８は、ネットワーク５を介して他の機器との通信を行う装置である。有線ネットワークや無線ネットワークなど含む各種ネットワーク形態に応じた通信をサポートする。
【００２８】
図３は、本実施例における快適地情報提供サーバ１の機能構成例を示す図である。快適地情報提供サーバ１は、主な機能部として、取得部１０１、特定部１０２、通知部１０３、記憶部１０４を有する。なお、取得部１０１、特定部１０２、通知部１０３は、ＣＰＵ１１が対応するプログラムを実行することにより行われる処理によって実現される。
【００２９】
取得部１０１は、気象システム２から、一定の広域において実際に観測された「現在広域気象データ」と、将来の「予測広域気象データ」とを、例えば、１５分毎刻みで取得（受信）する。また、取得部１０１は、各緑地に設置されている計測機器３から、計測された地点測定データを、例えば、１５分毎刻みで取得（受信）する。
【００３０】
なお、取得部１０１は、「現在広域気象データ」及び「予測広域気象データ」を含む広域気象データを取得すると、取得するたびに取得した広域気象データを、記憶部１０４の広域気象データ１０４ｂに更新する。また、取得部１０１は、地点測定データを取得すると、取得するたびに取得した地点測定データを、記憶部１０４の地点測定データ１０４ｅに更新する。また、取得部１０１は、気象システム２、計測機器３に対し、データ取得要求を実行してもよいし、計測機器３から取得部１０１に対し、自動配信されてもよい。
【００３１】
特定部１０２は、所定エリア（例えば、Ｘエリア）内の緑地のうち、所定の快適基準を満たす緑地、即ち快適環境とされる緑地を特定する。詳細は後述するが、特定部１０２は、例えば、ユーザのユーザ端末４が現在位置するエリア環境よりも快適環境とされる緑地の情報を特定する。なお、特定部１０２が緑地を特定するとの表現は、緑地を抽出する、選択する、算出するとの表現に代えてもよい。
【００３２】
通知部１０３は、所定エリア（例えば、Ｘエリア）内に位置するユーザのユーザ端末４に対し、快適環境とされる緑地の情報を通知する。これにより、ユーザ端末４を有するユーザに対し、緑地への誘致を図る。なお、緑地の情報は、例えば、メールなどで通知しうる。
【００３３】
記憶部１０４は、ユーザＤＢ１０４ａ、広域気象データ１０４ｂ、位置データ１０４ｃ、地点測定データ１０４ｄ、地点日照データ１０４ｅを記憶する。これらデータについて、具体例を挙げて以下で説明する。
【００３４】
なお、上記機能部は、快適地情報提供サーバ１を構成するコンピュータのＣＰＵ、ＲＯＭ、ＲＡＭ等のハードウェア資源上で実行されるコンピュータプログラムによって実現されるものである。また、これらの機能部は、「手段」、「モジュール」、「ユニット」、又は「回路」に読替えてもよい。
【００３５】
図４は、本実施例におけるユーザＤＢ１０４ａのデータ構成例を示す図である。図４に示すように、ユーザＤＢ１０４ａは、ユーザのユーザ端末４ごとに、「ユーザＩＤ」、「現在位置」、「アドレス」などのデータを有している。
【００３６】
「ユーザＩＤ」は、ユーザ及びユーザ端末４を識別するためのユーザ識別子である。ユーザを一意に識別できればよく、例えば、ユーザ端末４の固有識別子などでもよい。
【００３７】
「現在位置」は、ユーザ端末４の現在位置を示す位置情報である。「現在位置」は、ユーザ端末４から定期的に受信される位置情報に基づいて、最新の「位置情報」に更新されうる。
【００３８】
「アドレス」は、ユーザ端末４のメールアドレスである。この「アドレス」は、緑地の情報を通知する場合、その通知先として用いられる。
【００３９】
なお、ユーザＤＢ１０４ａのうち、「ユーザＩＤ」及び「アドレス」は、予め記憶部１０４に登録される既知情報である。また、図４のユーザＤＢ１０４ａのデータ構成例はあくまで一例であり、例えば、ユーザ名など、その他、ユーザ属性に関するデータを有していてもよい。
【００４０】
図５は、本実施例における広域気象データ１０４ｂのデータ構成例を示す図である。図５に示すように、広域気象データ１０４ｂは、Ｘエリアの気象データとして、現在から将来にわたって時系列に、「天気」、「気温」、「湿度」、「風向／風速」などのデータを有している。
【００４１】
広域気象データ１０４ｂは、気象システム２から、気象観測及び気象予測を可能とする一定の広域範囲（例えば、地図上の１０ｋｍ格子範囲）ごとに提供される気象データである。即ち、広域気象データ１０４ｂは、一定の広域内における複数の観測所で、実際に計測・観測された全地点計測データの平均値等に基づいて算出されたものであり、広域全体を代表する気象データである。よって、例えば、各緑地のＡ、Ｂ、Ｃ地点は何れもＸエリア内に位置するものの（例えば、図１参照）、Ａ、Ｂ、Ｃ地点で実際にそれぞれ計測された地点測定データとは、その値が異なる場合がある。
【００４２】
また、広域気象データ１０４ｂは、実際に計測・観測された過去及び現在の広域気象データに基づいて予測された予測広域気象データを含む。このため、図５に示される広域気象データは、「現在」時刻を起点として、「１５分後」、「３０分後」、「４５分後」・・・というように、１５分刻みで予測された広域気象データを含んでいる。
【００４３】
図６は、本実施例における位置データ１０４ｃのデータ構成例を示す図である。図６に示すように、位置データ１０４ｃは、各エリア（地域）、及び各緑地の位置情報を示すものであり、エリア及び地点ごとに、「経度」、「緯度」などのデータを有している。図６の場合、Ｘエリア、及びＸエリア内の緑地Ａ、Ｂ、Ｃ地点の位置データが示されている。
【００４４】
なお、位置データ１０４ｃは、予め記憶部１０４に登録される既知情報である。また、各緑地の位置情報が一定の範囲、広がりをもって特定される場合、複数以上の「経度」、「緯度」を用いてその位置範囲を特定してもよい。
【００４５】
図７は、本実施例における地点測定データ１０４ｄのデータ構成例を示す図である。図７に示すように、地点測定データ１０４ｄは、各緑地のＡ、Ｂ、Ｃ地点で実際に計測された計測データとして、地点ごとに、「天気」、「気温」、「湿度」、「風向／風速」などの地点計測データを有している。なお、各緑地で計測された地点測定データは、例えば、１５分毎刻みで取得（受信）されるため、図６に示されるように、最新の地点計測データ（例えば、「測定日時刻」201208121330）から過去１５分おきに遡って蓄積されている。
【００４６】
図８は、本実施例における地点日照データ１０４ｅのデータ構成例を示す図である。図８に示すように、地点日照データ１０４ｅは、現在から将来にわたって時系列に、各緑地のＡ、Ｂ、Ｃ地点ごとに、日照データ（「日向」又は「日陰」）を有している。
【００４７】
例えば、現在（201208121330）、Ａ地点の日照データを参照すると、「日陰」となっている。本実施例において、「日陰」という場合、各緑地面積の５０％以上が日陰であることを示すため、現在Ａ地点では、緑地内敷地の５０％以上が日陰となっていることが分かる。
【００４８】
また、例えば、Ｂ地点の現在の日照データを参照すると、「日向」となっている。本実施例において、「日向」という場合、各緑地面積の５０％以上が日向であることを示すため、現在Ｂ地点では、緑地内敷地の５０％以上が日向となっていることが分かる。
【００４９】
また、日照データは、１５分後、３０分後というように、将来予測される日照データを含む。また、日照データが日向であるか又は日陰かを決定する要因として、例えば、天候の情報（例えば、晴れ・曇り・雨）、緑地の経度・緯度の情報、地理・地形の情報、季節・日時刻の情報、さらに緑地の周辺又は緑地内の建物（その他の物体）の有無、その大きさや高さ等などがある。
【００５０】
ここで、日当たりを決定する要因のうち、天候の情報は気象システム２からの広域気象データに基づき定期的に更新されるが、天候の情報以外は、概ね事前に予測可能な固定的な情報である。このため、本実施例において、地点日照データ１０４ｅには、予め記憶部１０４に、天候の情報と、固定的な情報とに基づいて、予測される日照データを更新し登録する。なお、これら要因のうち、例えば、緑地の日照条件に影響を与える要因事象（例えば、近隣に新しい高層ビルが建設された等）があった場合には、都度更新されうる。
【００５１】
より具体的に、例えば、天候の情報が曇り・雨であれば、その他の要因に関わらず、日照データを「日陰」とすることができる。また、天候の情報が晴れであれば、その他の要因を加味し、日照データを「日向」又は「日陰」とする。仮に天候が晴れであっても、その緑地が、太陽が当りにくい経度・緯度に位置したり、太陽が当りにくい地理・地形にあったり、太陽が当りにくい季節・日時刻であったり、さらに緑地の周辺又は緑地内の建造物が在る場合には、建造物の高さや位置などにより太陽光が遮断される場合があるためである。
【００５２】
なお、日照データを日照センサにより測定された測定データに基づいて、「日向」又は「日陰」としてもよい。
【００５３】
＜快適環境の特定処理例＞
次に、快適地情報提供サーバ１の快適環境の特定処理例について説明する。具体的に、快適地情報提供サーバ１は、ユーザ端末４に対し提供すべき快適環境（快適地）とされる緑地の情報を特定する。
【００５４】
図９は、本実施例における快適環境の特定処理の一例を示すフローチャートである。
【００５５】
前提として、Ｘエリアには、緑地のＡ、Ｂ、Ｃ点が存在するものとし（例えば、図１参照）、Ｘエリアに存在するＡ、Ｂ、Ｃ点の緑地を対象として、この中から、ユーザ端末４に対し、快適環境（快適地）とされる緑地の情報を提供する。
【００５６】
また、前提として、快適地情報提供サーバ１の取得部１０１は、気象システム２から、広域気象データを、例えば、１５分毎刻みで取得（受信）し、これを広域気象データ１０４ｂとして更新している。また、取得部１０１は、各緑地に設置されている計測機器３から、計測された地点測定データを、例えば、１５分毎刻みで取得（受信）し、これを地点測定データ１０４ｄとして更新している。また、地点日照データ１０４は、気象システム２からの広域気象データ（特に、天候の情報）に基づいて、最新の日照データが予測され登録されている。即ち、記憶部１０４には、最新の状態で、ユーザＤＢ１０４ａ、広域気象データ１０４ｂ、位置データ１０４ｃ、地点測定データ１０４ｄ、地点日照データ１０４ｅが記憶されているものとする。
【００５７】
以下、快適地情報提供サーバ１の快適環境の特定処理例について、Ｓ１００、Ｓ２００、Ｓ３００、Ｓ４００に分けて、詳しく説明する。なお、本フローチャートは、快適地情報提供サーバ１の特定部１０２を実行主体として実行される。
【００５８】
図１０は、Ｓ１００の広域状況判定処理の一例を示すフローチャートである。Ｓ１００の広域状況判定処理について、以下図面に沿って説明する。
【００５９】
Ｓ１０１：まず、快適地情報提供サーバ１は、Ｘエリアの広域気象データ１０４ｂ（例えば、図５参照）を参照し、Ｘエリアにおいて、現在の気温（エリア気温という）は、２８℃よりも高くかつ現在の湿度（エリア湿度という）は８０％以上であるか否かを判定する。なお、一般に、気温が２８℃よりも高く、かつ現在の湿度は８０％以上である場合、人間はその状況環境を不快（暑い）と感じるといわれている。Ｙｅｓの場合、Ｓ１０２へ進む。一方、Ｎｏの場合、Ｓ１０４へ進む。
【００６０】
Ｓ１０２：快適地情報提供サーバ１は、現在の気温は２８℃よりも高くかつ現在の湿度は８０％以上である場合、現在のＸエリアのエリア状況は「不快」（暑い）と判定する。
【００６１】
ここで、例えば、図５のＸエリアの現在広域気象データを参照すると、現在の気温は２９℃、湿度は８２％である。よって、現在の気温は２８℃よりも高くかつ現在の湿度は８０％以上であるので、この場合、現在のＸエリアのエリア状況は「不快」（暑い）と判定される。
【００６２】
Ｓ１０３：次に、快適地情報提供サーバ１は、現在のＸエリアのエリア状況は「不快」（暑い）と判定した場合、今度は、不快なエリア状況が終了する時間を特定する。具体的に、将来予測の気温が２８℃よりも低くかつ将来予測の湿度は８０％以下になる時刻（不快終了時刻という）を特定する。
【００６３】
例えば、図５のＸエリア広域気象データ１０４ｂを参照すると、現在から１５分後の気温は２９℃、湿度は８２％である。よって、１５分後、依然として、Ｘエリアのエリア状況は「不快」（暑い）である。続いて、３０分後の気温は２８℃、湿度は８２％である。よって、３０分後、依然として、Ｘエリアのエリア状況は「不快」（暑い）である。続いて、４５分後の気温は２８℃、湿度は７８％である。このときの気温は２８℃よりも高くかつ現在の湿度は８０％以上でないため、Ｘエリアのエリア状況は「不快」（暑い）を脱している。つまりこの場合、不快終了時刻は、４５分後（迄）であると特定される。なお、予測広域気象データを参照しても、依然として、Ｘエリアのエリア状況が「不快」であり続ける場合、予測広域気象データの最長時刻（例えば、図５の場合、６０分後）を、不快終了時刻とすればよい。
【００６４】
Ｓ１０４：快適地情報提供サーバ１は、現在の気温は１０℃よりも低くかつ現在の湿度は１０％以下である場合（Ｓ１０１でＮｏ）、現在のＸエリアのエリア状況は「不快」（寒い）と判定する。一般に、気温が１０よりも低く、かつ現在の湿度は１０％以下である場合、人間はその状況環境を不快（寒い）と感じるといわれている。
【００６５】
Ｓ１０５：快適地情報提供サーバ１は、現在の気温は１０℃よりも低くかつ現在の湿度は１０％以下である場合、現在のＸエリアのエリア状況は「不快」（寒い）と判定する。
【００６６】
Ｓ１０６：次に、快適地情報提供サーバ１は、現在のＸエリアのエリア状況は「不快」（寒い）と判定した場合、今度は、不快なエリア状況が終了する時間を特定する。具体的に、将来予測の気温が１０℃よりも高くかつ将来予測の湿度は１０％以上になる時刻（不快終了時刻という）を特定する。
【００６７】
Ｓ１０７：快適地情報提供サーバ１は、現在の気温は１０℃よりも低くかつ現在の湿度は１０％以下でない場合（Ｓ１０４でＮｏ）、現在のＸエリアのエリア状況は「快適」と判定する。現在の気温は１０℃〜２８℃かつ現在の湿度は１０％〜８０％の状況にあり、人間はその状況環境を概ね快適と感じるといえる。
【００６８】
以上、Ｘエリアの広域気象データ１０４ｂに基づいて、現在のＸエリアのエリア状況が、「不快」（暑い）、「不快」（寒い）、又は「快適」の何れかに判定される。
【００６９】
図１１は、本実施例における広域状況の判定結果の一例を示す図である。図１１に示されるように、Ｘエリアにおける判定結果は、現在〜３０分後迄「不快」となっており、４５分後「快適」となっている。また、不快終了時刻は、４５分後である。
【００７０】
なお、図１１における広域状況の判定結果は、所定のメモリ（例えば、記憶部１０４）に記憶される。
【００７１】
Ｓ２００において、快適地情報提供サーバ１は、Ｓ１００での現在のＸエリアのエリア状況に応じて処理を分岐させる。具体的に、現在のＸエリアのエリア状況が「不快」（暑い）又は「不快」（寒い）場合、Ｓ３００へ進む。一方、現在のＸエリアのエリア状況「快適」の場合、「ＥＮＤ」へ進む。
【００７２】
図１２は、Ｓ３００の快適緑地特定処理の一例を示すフローチャートである。Ｓ３００の快適緑地特定処理について、以下図面に沿って説明する。
【００７３】
Ｓ３０１：まず、快適緑地を特定するにあたり、その処理上、対象緑地数をＬにセットする。本実施例の場合、対象緑地はＡ、Ｂ、Ｃ地点の３つであるので、Ｌ＝３となる。また、対象緑地を特定する番号として、ｎ＝１とする。本実施例の場合、対象緑地はＡ、Ｂ、Ｃ地点の３つであるので、Ａは番号１、Ｂは番号２、Ｃは番号３になるものとする。
【００７４】
Ｓ３０２：快適地情報提供サーバ１は、地点測定データ１０４ｅを参照し、ｎ番目の緑地の最新データを取得する。
【００７５】
まず、はじめはｎ＝１であるので、１番目の緑地（＝Ａ地点）の最新の地点測定データを取得する。例えば、図７を参照すると、１番目の緑地であるＡ地点の最新の地点測定データは、測定日時刻201208121330（2012/8/12 13:30）の気温２８℃、湿度７８％、風向北向き、風速４ｍとなっている。
【００７６】
Ｓ３０３：次に、快適地情報提供サーバ１は、探索緑地は涼地点か否かで処理を分岐させる。つまり、Ｓ１００で、現在のＸエリアのエリア状況が「不快」（暑い）と判定された場合、快適緑地として探索すべき緑地は、涼しい緑地である。よって、この場合、探索緑地は涼地点であるため、Ｓ３０４へ進む。一方、Ｓ１００で、現在のＸエリアのエリア状況が「不快」（寒い）と判定された場合、快適緑地として探索すべき緑地は、暖かい緑地である。よって、この場合、探索緑地は涼地点ではないため、Ｓ３１５へ進む。
【００７７】
Ｓ３０４：次に、快適地情報提供サーバ１は、n番目の緑地の気温は、現在のエリア気温（例えば、図５の広域気象データ１０４ａを参照し、Ｘエリアの現在気温）より低いか否かを判定する。例えば、１番目の緑地の気温が２８℃、現在のエリア気温２９℃であるため、１番目の緑地の気温は、現在のエリア気温より低いと判定される。なお、これは、現在、Ｘエリア広域の気温と比較して、緑地Ａ地点では、緑地効果等によって、周辺よりもスポット的にその気温が１℃低いことを示している。
【００７８】
Ｓ３０５：快適地情報提供サーバ１は、n番目の緑地の気温が現在のエリア気温より低い場合、n番目の緑地（Ａ地点）の快適ポイントに、１を加算する。ここでは、例えば、１番目の緑地Ａ地点の快適ポイントは、１となる。なお、快適ポイントとは、緑地の快適性を判定するポイント値であり、最終的にそのポイント値に応じて、快適緑地か否かの判定に用いられるものである。
【００７９】
Ｓ３０６：次に、快適地情報提供サーバ１は、n番目の緑地の湿度は、７０％以下か否かを判定する。一般に、湿度７０％以下の場合、人間にとってこれは快適に感じる要素である。
【００８０】
Ｓ３０７：快適地情報提供サーバ１は、n番目の緑地の湿度が、７０％以下の場合、n番目の緑地の快適ポイントに、１を加算する。ここでは、例えば、１番目の緑地の湿度が７８℃であるため、１番目の緑地（Ａ地点）の快適ポイントは、依然として１（合計値）となる。
【００８１】
Ｓ３０８：次に、快適地情報提供サーバ１は、n番目の緑地の風速は、１ｍ／ｓ以上か否かを判定する。一般に、風速が１ｍ／ｓ以上の場合、人間にとってこれは快適（涼しい）に感じる要素である。
【００８２】
Ｓ３０９：快適地情報提供サーバ１は、n番目の緑地の風速が、１ｍ／ｓ以上の場合、n番目の緑地の快適ポイントに、１を加算する。ここでは、例えば、１番目の緑地（Ａ地点）の風速が４ｍ／ｓであるため、１番目の緑地（Ａ地点）の快適ポイントは、２（合計値）となる。
【００８３】
Ｓ３１０：次に、快適地情報提供サーバ１は、地点日照データ１０４ｅ（例えば、図８）を参照し、現在、n番目の緑地の日照データは、日陰か否かを判定する。一般に、日陰は日向に比べ、人間にとって快適（涼しい）に感じる要素である。
【００８４】
Ｓ３１１：快適地情報提供サーバ１は、n番目の緑地の日照データが、日陰の場合、n番目の緑地の快適ポイントに、３を加算する。ここでは、例えば、１番目の緑地（Ａ地点）の日照データが日陰であるため、１番目の緑地（Ａ地点）の快適ポイントは、５（合計値）となる。
【００８５】
なお、快適ポイントの加算値は、任意に設定しうる。但し、本実施例においては、快適緑地を特定するにあたり、現在、緑地が日向又は日陰かどうかで、その快適性判断に特に重きを置いたため、３ポイントを加算するようにした。
【００８６】
Ｓ３１２：快適地情報提供サーバ１は、快適ポイントに応じて、n番目の緑地を、「快適緑地」又は「不快緑地」と判定する。判定基準の快適ポイント値は任意に設定しうるが、本実施例においては、例えば、快適ポイントが合計４以上の場合、「快適緑地」と判定する。また、快適ポイントが合計４よりも低い場合、「不快緑地」と判定する。ここでは、例えば、１番目の緑地（Ａ地点）の快適ポイントは合計５であるため、１番目の緑地（Ａ地点）は、「快適緑地」と判定される。
【００８７】
Ｓ３１３：ここで、次の順番の緑地に対して、快適緑地か否かの判定を行うため、処理上、ｎに１を加算する。即ち、ｎ＝ｎ＋１とする。
【００８８】
Ｓ３１４：また、全ての対象緑地に対して、快適緑地か否かの判定を終了したかどうかを判定するため、ｎ＞Ｌを満たすかどうかで、処理を分岐させる。ｎ≦Ｌの場合、再びＳ３０２へ戻り、次の順番の緑地に対して、快適緑地か否かの判定を行う。一方、ｎ＞Ｌでない場合、Ｎ＞Ｌの場合、全ての対象緑地に対して、快適緑地か否かの判定を終了したことになるので、本処理Ｓ３００を終了させる。
【００８９】
Ｓ３１５：一方、快適地情報提供サーバ１は、Ｓ３０３で、探索地点は涼地点でない場合、Ｓ３１５へ進む。つまり、Ｓ１００で、現在のＸエリアのエリア状況が「不快」（寒い）と判定された場合、快適緑地として探索すべき緑地は、暖かい緑地であり、暖地点である。Ｓ３１５において、快適地情報提供サーバ１は、n番目の緑地の気温は、現在のエリア気温より高いか否かを判定する。
【００９０】
Ｓ３１６：快適地情報提供サーバ１は、n番目の緑地の気温が現在のエリア気温より高い場合、n番目の緑地（Ａ地点）の快適ポイントに、１を加算する。
【００９１】
Ｓ３１７：次に、快適地情報提供サーバ１は、n番目の緑地の湿度は、２０％以上か否かを判定する。一般に、湿度２０％以上の場合、人間にとってこれは快適（暖かい）に感じる要素である。
【００９２】
Ｓ３１８：快適地情報提供サーバ１は、n番目の緑地の湿度が、２０％以上の場合、n番目の緑地の快適ポイントに、１を加算する。
【００９３】
Ｓ３１９：次に、快適地情報提供サーバ１は、n番目の緑地の風速は、１ｍ／ｓ以下か否かを判定する。一般に、風速が１ｍ／ｓ以下の場合、人間にとってこれは快適（あまり寒くない、即ち暖かい）に感じる要素である。
【００９４】
Ｓ３２０：快適地情報提供サーバ１は、n番目の緑地の風速が、１ｍ／ｓ以下の場合、n番目の緑地の快適ポイントに、１を加算する。
【００９５】
Ｓ３２１：次に、快適地情報提供サーバ１は、地点日照データ１０４ｅ（例えば、図８）を参照し、現在、n番目の緑地の日照データは、日向か否かを判定する。一般に、日向は日陰に比べ、人間にとって快適（暖かい）に感じる要素である。
【００９６】
Ｓ３２２：快適地情報提供サーバ１は、n番目の緑地の日照データが、日向の場合、n番目の緑地の快適ポイントに、３を加算する。
【００９７】
Ｓ３２３：快適地情報提供サーバ１は、快適ポイントに応じて、n番目の緑地を、「快適緑地」又は「不快緑地」と判定する。この後、Ｓ３１３へ進む。
【００９８】
以上、各緑地の地点測定データに基づいて、現在、それぞれの対象緑地が「快適緑地」、又は「不快緑地」の何れかに判定される。
【００９９】
図１３は、本実施例における対象緑地の判定結果（現在）の一例を示す図である。図１３に示されるように、対象緑地における判定結果は、Ａ、Ｃ地点が「快適」、Ｂ地点が「不快」となっている。
【０１００】
図１４は、Ｓ４００の快適緑地推移予測処理の一例を示すフローチャートである。Ｓ４００の快適緑地推移予測処理について、以下図面に沿って説明する。
【０１０１】
Ｓ４０１：まず、快適緑地推移を予測するにあたり、その処理上、対象緑地数をＬにセットする。本実施例において、対象緑地はＡ、Ｂ、Ｃ地点の３つであるので、Ｌ＝３となる。また、対象緑地を特定する番号として、ｎ＝１とする。本実施例において、対象緑地はＡ、Ｂ、Ｃ地点の３つであるので、Ａは番号１、Ｂは番号２、Ｃは番号３になるものとする。
【０１０２】
Ｓ４０２：また、現在時刻に１５分を加算した時刻を、推移予測時刻とする。例えば、現在時刻が201208121330（2012/8/12 13:30）の場合、推移予測時刻は、201208121345（2012/8/12 13:45）となる。
【０１０３】
Ｓ４０３：次に、快適地情報提供サーバ１は、探索緑地は涼地点か否かで処理を分岐させる。つまり、Ｓ１００で、現在のＸエリアのエリア状況が「不快」（暑い）と判定された場合、探索緑地は涼地点であるため、Ｓ４０４へ進む。一方、Ｓ１００で、現在のＸエリアのエリア状況が「不快」（寒い）と判定された場合、探索緑地は涼地点ではないため、Ｓ４１３へ進む。
【０１０４】
Ｓ４０４：次に、快適地情報提供サーバ１は、推移予測時刻において、予測エリア風速は、１ｍ／ｓ以上か否かを判定する。一般に、風速が１ｍ／ｓ以上の場合、人間にとってこれは快適（涼しい）に感じる要素である。
【０１０５】
Ｓ４０５：快適地情報提供サーバ１は、推移予測時刻において、予測エリア風速が、１ｍ／ｓ以上の場合、n番目の緑地の快適ポイントに、１を加算する。ここでは、例えば、図５を参照すると、現在時刻から１５分後の推移予測時刻201208121345（2012/8/12 13:45）において、Ｘエリアの風速が４ｍ／ｓであるため、１番目の緑地（Ａ地点）の快適ポイントは、１となる。なお、緑地（Ａ地点）は、Ｘエリア内に位置する緑地である。
【０１０６】
なお、緑地（Ａ地点）は、Ｘエリア内に位置しており、予測エリア風速を緑地（Ａ地点）における予測地点風速として利用する。緑地（Ａ地点）自体からは、実際に測定された地点測定データのみを有しており、予測の地点測定データは有していないためである。
【０１０７】
Ｓ４０６：次に、快適地情報提供サーバ１は、地点日照データ１０４ｅ（例えば、図８）を参照し、推移予測時刻において、n番目の緑地の日照データは、日陰か否かを判定する。ここでは、例えば、現在時刻から１５分後の推移予測時刻201208121345（2012/8/12 13:45）において、１番目の緑地（Ａ地点）の日照データは日陰である。
【０１０８】
Ｓ４０７：快適地情報提供サーバ１は、n番目の緑地の日照データが、日陰の場合、n番目の緑地の快適ポイントに、２を加算する。ここでは、例えば、１番目の緑地（Ａ地点）の日照データが日陰であるため、１番目の緑地（Ａ地点）の快適ポイントは、３（合計値）となる。
【０１０９】
Ｓ４０８：快適地情報提供サーバ１は、快適ポイントに応じて、n番目の緑地を、「快適緑地」又は「不快緑地」と判定する。判定基準の快適ポイント値は任意に設定しうるが、本実施例においては、例えば、快適ポイントが合計２以上の場合、「快適緑地」と判定する。また、快適ポイントが合計２よりも低い場合、「不快緑地」と判定する。ここでは、例えば、１番目の緑地（Ａ地点）の快適ポイントは合計３であるため、推移予測時刻において、１番目の緑地（Ａ地点）は、「快適緑地」と判定される。
【０１１０】
Ｓ４０９：ここで、推移予測時刻にさらに１５分を加算する。
【０１１１】
Ｓ４１０：次いで、推移予測時刻は、不快終了時刻を越えたか否かを判定する。ユーザに対し、エリア状況が「不快」な状態が継続する間、代替となる快適緑地の情報を提供するためである。なお、不快終了時刻は、Ｘエリアにおいて、不快なエリア状況が終了する時間である（例えば、Ｓ１０３、Ｓ１０６参照）。
【０１１２】
推移予測時刻は、不快終了時刻を越えた場合、Ｓ４１１へ進む。一方、推移予測時刻は、不快終了時刻を越えない場合、さらに次（１５分後）の推移予測時刻において、n番目の緑地が、「快適緑地」又は「不快緑地」かを判定するため、Ｓ４０３へ進む。
【０１１３】
Ｓ４１１：また、次の順番の緑地に対して、快適緑地か否かの判定を行うため、処理上、ｎに１を加算する。即ち、ｎ＝ｎ＋１とする。
【０１１４】
Ｓ４１２：また、全ての対象緑地に対して、快適緑地か否かの判定を終了したかどうかを判定するため、ｎ＞Ｌを満たすかどうかで、処理を分岐させる。ｎ≦Ｌの場合、再びＳ４０３へ戻り、次の順番の緑地に対して、快適緑地か否かの判定を行う。一方、Ｎ＞Ｌの場合、全ての対象緑地に対して、快適緑地か否かの判定を終了したことになるので、本処理Ｓ４００を終了させる。
【０１１５】
Ｓ４１３：一方、快適地情報提供サーバ１は、Ｓ４０３で、探索地点は涼地点でない場合、Ｓ４１３へ進む。つまり、Ｓ１００で、現在のＸエリアのエリア状況が「不快」（寒い）と判定された場合、快適緑地として探索すべき緑地は、暖かい緑地であり、暖地点である。Ｓ４１３において、快適地情報提供サーバ１は、推移予測時刻において、予測エリア風速は、１ｍ／ｓ以下か否かを判定する。一般に、風速が１ｍ／ｓ以下の場合、人間にとってこれは快適（寒くない、暖かい）に感じる要素である。
【０１１６】
Ｓ４１４：快適地情報提供サーバ１は、推移予測時刻において、予測エリア風速が、１ｍ／ｓ以下の場合、n番目の緑地の快適ポイントに、１を加算する。
【０１１７】
Ｓ４１５：次に、快適地情報提供サーバ１は、地点日照データ１０４ｅ（例えば、図８）を参照し、推移予測時刻において、n番目の緑地の日照データは、日向か否かを判定する。
【０１１８】
Ｓ４１６：快適地情報提供サーバ１は、n番目の緑地の日照データが、日向の場合、n番目の緑地の快適ポイントに、２を加算する。
【０１１９】
Ｓ４１７：快適地情報提供サーバ１は、快適ポイントに応じて、n番目の緑地を、「快適緑地」又は「不快緑地」と判定する。判定基準の快適ポイント値は任意に設定しうるが、本実施例においては、例えば、快適ポイントが合計２以上の場合、「快適緑地」と判定する。また、快適ポイントが合計２よりも低い場合、「不快緑地」と判定する。この後、Ｓ４０９へ進む。
【０１２０】
以上、将来、それぞれの対象緑地がどのように推移するか、つまり、将来の所定時間ごとに、それぞれの対象緑地が「快適緑地」、又は「不快緑地」の何れかに判定される。
【０１２１】
図１５は、本実施例における対象緑地の判定結果（現在及び将来）の一例を示す図である。図１５に示されるように、将来（１５分後、３０分後）において、対象緑地における判定結果が予測されている。また、現在の判定結果は、Ｓ３００で判定されたものである（例えば、図１３参照）。
【０１２２】
即ち、図１５のように、快適地情報提供サーバ１は、現在において、快適環境（快適地）とされるＡ地点、Ｃ地点を特定することができる。また、将来（１５分後）においては、快適環境（快適地）とされるＡ地点、Ｃ地点を特定することができる。またさらに、将来（３０分後）においては、快適環境（快適地）とされるＡ地点を特定することができる。
【０１２３】
なお、図１５における対象緑地の判定結果は、所定のメモリ（例えば、記憶部１０４）に記憶される。
【０１２４】
なお、Ａ地点、Ｂ地点、Ｃ地点をそれぞれ独立した緑地エリアとして説明したが、Ａ地点、Ｂ地点、Ｃ地点をそれぞれ、３地点を含む１つの緑地エリアのうちの区分された緑地エリア（１つの緑地エリア内の複数の部分緑地エリア）としてもよい。これにより、１つの緑地エリア内であっても、場所によっては、快適度が大きく異なるような場合にも対応できる。
【０１２５】
＜快適環境の情報提供処理例＞
次に、快適地情報提供サーバ１の快適環境の情報提供処理例について説明する。ユーザ端末４に対して、快適環境（快適地）とされる緑地の情報を提供するものである。
【０１２６】
前提として、快適地情報提供サーバ１は、上述の快適環境（快適地）の特定処理により、快適地情報提供サーバ１は、快適環境（快適地）とされる緑地の情報を特定しているものとする。また、ユーザ端末４は、Ｘエリア内に位置しているものとする（例えば、図１参照）。
【０１２７】
図１６は、本実施例における快適環境の情報提供処理の一例を示すフローチャートである。なお、本フローチャートは、快適地情報提供サーバ１の通知部１０３を実行主体として実行される。
【０１２８】
Ｓ５０１：快適地情報提供サーバ１は、対象となるユーザ端末４に対して、快適緑地の情報提供タイミングであるか否かを判定する。快適緑地の情報提供タイミングである場合、Ｓ５０２へ進む。なお、快適緑地の情報提供タイミングは、任意に設定でき、例えば、所定時刻や一定間隔をそのタイミングとしてもよいし、また、管理者の明示的な手動操作をそのトリガーとしてもよい。また、ユーザ端末４からの快適緑地の情報提供要求を受信したタイミングとしてもよい。
【０１２９】
Ｓ５０２：次に、快適地情報提供サーバ１は、対象となるユーザ端末の位置情報から、ユーザの位置するエリアを特定する。具体的には、ユーザＤＢ１０４ａ及び位置データ１０４ｃを参照し、ユーザ端末の位置情報を含むエリアを特定すればよく、例えば、ここでは、位置ユーザの位置するエリアは、Ｘエリアであると特定されるものとする。
【０１３０】
Ｓ５０３：次に、快適地情報提供サーバ１は、ユーザの位置するエリアは、「快適」であるか否かを判定する。例えば、ここでは、位置ユーザの位置するエリアは、Ｘエリアであるため、所定のメモリ（例えば、記憶部１０４）に記憶されている広域状況の判定結果（例えば、図１１参照）を参照することで、ユーザの位置するエリアは、「快適」であるか否かを判定できる。ユーザの位置するエリアは、「快適」でない場合、Ｓ５０４へ進む。一方、ユーザの位置するエリアは、「快適」である場合、ＥＮＤへ進む。
【０１３１】
Ｓ５０４：次に、快適地情報提供サーバ１は、ユーザの位置するエリア内の「快適」な緑地を取得する。例えば、ここでは、位置ユーザの位置するエリアは、Ｘエリアであるため、所定のメモリ（例えば、記憶部１０４）に記憶されている対象緑地の判定結果（例えば、図１５参照）を参照することで、ユーザの位置するＸエリア内の「快適」な緑地を取得できる。なお、図１５によれば、ユーザに対しては、現在において、Ａ地点及びＣ地点を「快適」な緑地として情報提供することもできる。また、将来１５分後においてはＡ地点及びＣ地点を、将来３０分後においてはＡ地点を、「快適」な緑地を提供することもできる。
【０１３２】
Ｓ５０５：次に、快適地情報提供サーバ１は、ユーザ端末の位置情報から、最も近い「快適」な緑地を特定する。具体的には、位置データ１０４ｃを参照し、ユーザ端末の位置情報に最も近い緑地を特定すればよい。ここでは、ユーザ端末４に最も近い緑地は、Ａ地点とする。
【０１３３】
Ｓ５０５：次に、快適地情報提供サーバ１は、ユーザＤＢ１０４ａを参照し、ユーザ端末の「アドレス」を取得する。
【０１３４】
Ｓ５０６：快適地情報提供サーバ１は、ユーザ端末の「アドレス」（メールアドレス）を取得すると、同「アドレス」に対し、快適環境（快適地）の情報を送信する。ここで、快適環境（快適地）の情報は、Ｓ５０５で取得されたエリア内の「快適」な緑地、Ｓ５０６で取得されたユーザ端末の位置情報に最も近い緑地の情報を含む。
【０１３５】
図１７は、本実施例における情報提供の一例を示す図である。
【０１３６】
図１７（ａ）のメールには、まず、ユーザが不快なエリアに位置していることを示すため、「貴方の位置するエリアは、現在、気温28℃以上湿度80％以上の不快な状況にあります。」と記載されていることが分かる。
【０１３７】
また、ユーザのエリアには、快適緑地が存在していることを示すため、「現在、貴方のエリアには、快適緑地がありますので、是非足をお運び下さい。」と記載されていることが分かる。
【０１３８】
また、ユーザが立ち寄り易いように、快適緑地のうち、最も近いＡ地点緑地を識別させるため、「Ａ地点緑地（最寄り）」と記載されていることが分かる。
【０１３９】
また、ユーザが快適緑地にアクセスしやすいよう、緑地までのルートマップへのリンクを設けると共に、「リンクをクリックすると、緑地までのルートマップを参照できます。」と記載されていることが分かる。
【０１４０】
さらに、図１７（ｂ）のメールには、ユーザが不快なエリアに位置しているとともに、不快な状況が継続予測されることを示すため、「この不快状況は、14時１５分頃まで継続することが予測されます。」と記載されていることが分かる。
【０１４１】
また、快適緑地での快適状態が一定時間の間、継続予測されていることを示すため、「現在から14時１５分頃までは、快適な状態が継続することが予測されます。」と記載されていることが分かる。
【０１４２】
このようなメールによれば、ユーザは、快適な緑地が周辺にあるのであれば、緑地へ足を運んでみようとする動機を持つことができる。また、ユーザは、どのくらいまで不快な状況が継続するのかが具体的に把握できるので、不快な状況が暫く継続するのであれば、その間、一時的にでも、緑地へ足を運んでみようとする動機をより強く持つことができる。
【０１４３】
以上、本実施例にかかる快適地情報提供システムによれば、緑地を、人々が各々の季節を快適に過ごすための快適空間として活用すべく、人々を緑地へ積極的に誘致することが可能である。
【０１４４】
本発明は、具体的に開示された実施例に限定されるものではなく、特許請求の範囲から逸脱することなく、種々の変形や変更が可能である。
【０１４５】
以上の実施例を含む実施形態に関し、更に以下の付記を開示する。
（付記１）
コンピュータにより実行される情報提供方法であって、
前記コンピュータが、
緑地エリアの気象に関するデータに基づいて、前記緑地エリアのうち、所定の快適基準を満たす緑地エリアを特定し、
特定した前記緑地エリアを通知すること、
を特徴とする情報提供方法。
（付記２）
前記緑地エリアの気象に関するデータは、日照データを含み、
前記日照データは、少なくとも、日照センサデータ、緑地エリアの天候、緑地エリアの位置、緑地エリアの地形、緑地エリア内の建造物の有無、建造物の高さ、建造物の位置、又は日時刻のいずれかに基づいて算出されること、
を特徴とする付記１記載の情報提供方法。
（付記３）
前記緑地エリアを含む所定エリアの気象データを取得し、
前記測定データと、前記日照データと、前記所定エリアの気象データとに基づいて、前記所定エリア内の緑地エリアのうち、所定の快適基準を満たす緑地エリアを特定すること、
を特徴とする付記２記載の情報提供方法。
（付記４）
前記所定エリアの気象データに基づいて該所定エリアは快適でないと判定された場合、前記測定データと、前記日照データとに基づいて、前記所定エリア内の緑地エリアのうち、前記所定エリアよりも快適とされる所定の快適基準を満たす緑地エリアを特定すること、
を特徴とする付記３記載の情報提供方法。
（付記５）
前記日照データは、少なくとも、緑地エリアの天候、緑地エリアの位置、緑地エリアの地形、物体の有無、物体の高さ、物体の位置、又は日時刻の何れかに基づいて算出されること、
を特徴とする付記２ないし４何れか一項記載の情報提供方法。
（付記６）
前記緑地エリアの将来予測された日照データを取得し、
少なくとも、前記将来予測された日照データに基づいて、前記所定エリア内の緑地エリアのうち、将来、所定の快適基準を満たす緑地エリアを特定すること、
を特徴とする付記２ないし５何れか一項記載の情報提供方法。
（付記７）
特定した前記緑地エリアを、前記緑地エリアを含む所定エリア内に位置する端末に通知すること、
を特徴とする付記１ないし６何れか一項記載の情報提供方法。
（付記８）
前記端末に対し、特定した前記緑地エリアのうち、前記端末の位置に最も近い緑地エリアを通知すること、
を特徴とする付記７記載の情報提供方法。
（付記９）
緑地エリアの気象に関するデータに基づいて、前記緑地エリアのうち、所定の快適基準を満たす緑地エリアを特定する特定部と、
特定した前記緑地エリアを通知する通知部と、
を有することを特徴とする情報提供システム。
（付記１０）
緑地エリアの気象に関するデータに基づいて、前記緑地エリアのうち、所定の快適基準を満たす緑地エリアを特定し、
特定した前記緑地エリアを通知させる処理をコンピュータに実行させる情報提供プログラム。
【符号の説明】
【０１４６】
１        快適地情報提供サーバ１
２        気象システム
３        計測機器
４        ユーザ端末
５        ネットワーク
１１        ＣＰＵ
１２        ＲＯＭ
１３        ＲＡＭ
１４        ＨＤＤ
１５        インターフェース
１６        入力装置
１７        表示装置
１８        通信装置
１０１    取得部
１０２    特定部
１０３    通知部
１０４    記憶部
【図１】
2015094971.tif 000003
【図２】
2015094971.tif 000004
【図３】
2015094971.tif 000005
【図４】
2015094971.tif 000006
【図５】
2015094971.tif 000007
【図６】
2015094971.tif 000008
【図７】
2015094971.tif 000009
【図８】
2015094971.tif 000010
【図９】
2015094971.tif 000011
【図１０】
2015094971.tif 000012
【図１１】
2015094971.tif 000013
【図１２】
2015094971.tif 000014
【図１３】
2015094971.tif 000015
【図１４】
2015094971.tif 000016
【図１５】
2015094971.tif 000017
【図１６】
2015094971.tif 000018
【図１７】
2015094971.tif 000019